【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
クライアントデバイスのグループベースコミュニケーションインタフェースを更新するコンピュータで実現される方法であって、前記グループベースコミュニケーションインタフェースは、複数のグループベースコミュニケーションチャンネルを示すチャンネルリストペインを備え、前記コンピュータで実現される方法は、
外部と共有されるコミュニケーションチャンネル生成要求を受け取ることであって、前記外部と共有されるコミュニケーションチャンネル生成要求は、第１グループＩＤ（identification）及び第２グループＩＤを含む、外部と共有されるコミュニケーションチャンネル生成要求を受け取ること、及び
前記クライアントデバイスが、前記第１グループＩＤ又は前記第２グループＩＤのうちの１つに関連付けられているという判断に応答して、前記グループベースコミュニケーションインタフェースの前記チャンネルリストペインにおいて、前記クライアントデバイスに関連付けられた１つ以上の内部で共有されるコミュニケーションチャンネルを含む内部で共有されるコミュニケーションチャンネルリスト、及び前記クライアントデバイスに関連付けられた１つ以上の外部と共有されるコミュニケーションチャンネルを含む外部と共有されるコミュニケーションチャンネルリストの表示を行うこと
を含み、
前記１つ以上の内部で共有されるコミュニケーションチャンネルは、前記第１グループＩＤに関連付けられた第１ユーザ群にだけアクセス可能であり、
前記１つ以上の外部と共有されるコミュニケーションチャンネルのうちの少なくとも１つの外部と共有されるコミュニケーションチャンネルは、前記第１グループＩＤ又は前記第２グループＩＤに関連付けられた第２ユーザ群にアクセス可能であり、
前記１つ以上の内部で共有されるコミュニケーションチャンネルのそれぞれは、第１複数メッセージングコミュニケーションを通信するよう構成され、
前記１つ以上の外部と共有されるコミュニケーションチャンネルのそれぞれは、第２複数メッセージングコミュニケーションを通信するよう構成され、
前記チャンネルリストペインは、関連付けられたグループベースコミュニケーションチャンネルが外部と共有されていることを示す、前記１つ以上の外部と共有されるコミュニケーションチャンネルの個々に関連付けられた外部と共有されるコミュニケーションチャンネルステータス指示子をさらに含む
コンピュータで実現される方法。
【請求項２】
前記外部と共有されるコミュニケーションチャンネル生成要求は、前記第１グループＩＤに関連付けられた第１の外部と共有されるコミュニケーションチャンネル指示子、及び前記第２グループＩＤに関連付けられた第２の外部と共有されるコミュニケーションチャンネル指示子をさらに含み、
前記コンピュータで実現される方法は、
前記クライアントデバイスが前記第１グループＩＤに関連付けられているという判断に応答して、前記チャンネルリストペインにおいて、前記第１の外部と共有されるコミュニケーションチャンネル指示子を表示すること、及び
前記クライアントデバイスが前記第２グループＩＤと関連付けられているという判断に応答して、前記チャンネルリストペインにおいて、前記第２の外部と共有されるコミュニケーションチャンネル指示子を表示すること
をさらに含む、請求項１に記載のコンピュータで実現される方法。
【請求項３】
前記グループベースコミュニケーションインタフェースは、１つ以上のユーザアイコンを備えるチャンネルユーザフレックスペインをさらに備える
請求項１に記載のコンピュータで実現される方法。
【請求項４】
前記１つ以上のユーザアイコンのそれぞれは、対応するユーザアバター及び対応するグループアイコンを含む
請求項３に記載のコンピュータで実現される方法。
【請求項５】
前記グループベースコミュニケーションインタフェースは、チャンネルメッセージングペイン及びチャンネル入力ボックスをさらに備える
請求項１に記載のコンピュータで実現される方法。
【請求項６】
前記外部と共有されるコミュニケーションチャンネルリストから選択された外部と共有されるコミュニケーションチャンネルの電子的表示を前記クライアントデバイスから受け取ること、
前記チャンネルメッセージングペインにおいて、前記選択された外部と共有されるコミュニケーションチャンネルに関連付けられた１つ以上のユーザメッセージを表示すること、
前記選択された外部と共有されるコミュニケーションチャンネルに関連付けられたユーザ入力を、前記チャンネル入力ボックスにおいて前記クライアントデバイスから受け取ること、及び
前記チャンネルメッセージングペインにおいて前記ユーザ入力を表示すること
をさらに含む
請求項５に記載のコンピュータで実現される方法。
【請求項７】
前記第１複数メッセージングコミュニケーションのそれぞれは、前記第１グループＩＤに関連付けられ、前記第２グループＩＤには関連付けられず、
前記第２複数メッセージングコミュニケーションのうちの少なくとも一部は、前記第１グループＩＤ及び前記第２グループＩＤに関連付けられる
請求項１に記載のコンピュータで実現される方法。
【請求項８】
前記第１グループＩＤは、前記第２グループＩＤとは異なり、
前記第１グループＩＤに関連付けられた前記第１ユーザ群は、前記少なくとも１つの外部と共有されるコミュニケーションチャンネルにアクセスするための、前記第２グループＩＤに関連付けられた前記第２ユーザ群に関連付けられた第２プライバシー設定とは異なる第１プライバシー設定に関連付けられる
請求項１に記載のコンピュータで実現される方法。
【請求項９】
クライアントデバイスのグループベースコミュニケーションインタフェースを更新する装置であって、前記グループベースコミュニケーションインタフェースは、複数のグループベースコミュニケーションチャンネルを示すチャンネルリストペインを備え、前記装置は、少なくとも１つのプロセッサ及びプログラムコードを含む少なくとも１つの非一時的メモリを備え、前記少なくとも１つの非一時的メモリ及び前記プログラムコードは、前記少なくとも１つのプロセッサと共に、前記装置に
外部と共有されるコミュニケーションチャンネル生成要求を受け取ることであって、前記外部と共有されるコミュニケーションチャンネル生成要求は、第１グループＩＤ及び第２グループＩＤを含む、外部と共有されるコミュニケーションチャンネル生成要求を受け取ること、及び
前記クライアントデバイスが、前記第１グループＩＤ又は前記第２グループＩＤのうちの１つと関連付けられているという判断に応答して、前記グループベースコミュニケーションインタフェースの前記チャンネルリストペインにおいて、前記クライアントデバイスに関連付けられた１つ以上の内部で共有されるコミュニケーションチャンネルを含む内部で共有されるコミュニケーションチャンネルリスト、及び前記クライアントデバイスに関連付けられた１つ以上の外部と共有されるコミュニケーションチャンネルを含む外部と共有されるコミュニケーションチャンネルリストの表示を行うこと
を少なくともさせ、
前記１つ以上の内部で共有されるコミュニケーションチャンネルは、前記第１グループＩＤに関連付けられた第１ユーザ群にだけアクセス可能であり、
前記１つ以上の外部と共有されるコミュニケーションチャンネルのうちの少なくとも１つの外部と共有されるコミュニケーションチャンネルは、前記第１グループＩＤ又は前記第２グループＩＤに関連付けられた第２ユーザ群にアクセス可能であり、
前記１つ以上の内部で共有されるコミュニケーションチャンネルのそれぞれは、第１複数メッセージングコミュニケーションを通信するよう構成され、
前記１つ以上の外部と共有されるコミュニケーションチャンネルのそれぞれは、第２複数メッセージングコミュニケーションを通信するよう構成され、
前記チャンネルリストペインは、関連付けられたグループベースコミュニケーションチャンネルが外部と共有されていることを示す、前記１つ以上の外部と共有されるコミュニケーションチャンネルの個々に関連付けられた外部と共有されるコミュニケーションチャンネルステータス指示子をさらに含む
装置。
【請求項１０】
前記外部と共有されるコミュニケーションチャンネル生成要求は、前記第１グループＩＤに関連付けられた第１の外部と共有されるコミュニケーションチャンネル指示子、及び前記第２グループＩＤに関連付けられた第２の外部と共有されるコミュニケーションチャンネル指示子をさらに含み、
前記少なくとも１つの非一時的メモリ及び前記プログラムコードは、前記少なくとも１つのプロセッサと共に、前記装置に
前記クライアントデバイスが前記第１グループＩＤに関連付けられているという判断に応答して、前記チャンネルリストペインにおいて、前記第１の外部と共有されるコミュニケーションチャンネル指示子を表示すること、及び
前記クライアントデバイスが前記第２グループＩＤと関連付けられているという判断に応答して、前記チャンネルリストペインにおいて、前記第２の外部と共有されるコミュニケーションチャンネル指示子を表示すること
をさらにさせる、請求項９に記載の装置。
【請求項１１】
前記グループベースコミュニケーションインタフェースは、１つ以上のユーザアイコンを備えるチャンネルユーザフレックスペインをさらに備える
請求項９に記載の装置。
【請求項１２】
前記１つ以上のユーザアイコンのそれぞれは、対応するユーザアバター及び対応するグループアイコンを含む
請求項１１に記載の装置。
【請求項１３】
前記グループベースコミュニケーションインタフェースは、チャンネルメッセージングペイン及びチャンネル入力ボックスをさらに備える
請求項９に記載の装置。
【請求項１４】
前記少なくとも１つの非一時的メモリ及び前記プログラムコードは、前記少なくとも１つのプロセッサと共に、前記装置に
前記外部と共有されるコミュニケーションチャンネルリストから選択された外部と共有されるコミュニケーションチャンネルの電子的表示を前記クライアントデバイスから受け取ること、
前記チャンネルメッセージングペインにおいて、前記選択された外部と共有されるコミュニケーションチャンネルに関連付けられた１つ以上のユーザメッセージを表示すること、
前記選択された外部と共有されるコミュニケーションチャンネルに関連付けられたユーザ入力を、前記チャンネル入力ボックスにおいて前記クライアントデバイスから受け取ること、及び
前記チャンネルメッセージングペインにおいて前記ユーザ入力を表示すること
をさらにさせる、請求項１３に記載の装置。
【請求項１５】
前記第１複数メッセージングコミュニケーションのそれぞれは、前記第１グループＩＤに関連付けられ、前記第２グループＩＤには関連付けられず、
前記第２複数メッセージングコミュニケーションのうちの少なくとも一部は、前記第１グループＩＤ及び前記第２グループＩＤに関連付けられる
請求項９に記載の装置。
【請求項１６】
前記第１グループＩＤは、前記第２グループＩＤとは異なり、
前記第１グループＩＤに関連付けられた前記第１ユーザ群は、前記少なくとも１つの外部と共有されるコミュニケーションチャンネルにアクセスするための、前記第２グループＩＤに関連付けられた前記第２ユーザ群に関連付けられた第２プライバシー設定とは異なる第１プライバシー設定に関連付けられる
請求項９に記載の装置。
【請求項１７】
クライアントデバイスのグループベースコミュニケーションインタフェースを更新するコンピュータプログラムプロダクトであって、前記グループベースコミュニケーションインタフェースは、複数のグループベースコミュニケーションチャンネルを示すチャンネルリストペインを備え、前記コンピュータプログラムプロダクトは、そこに記憶されたコンピュータ読み取り可能なプログラムコード部分を有する少なくとも１つの非一時的コンピュータ読み取り可能な記憶媒体を備え、前記コンピュータ読み取り可能なプログラムコード部分は、
外部と共有されるコミュニケーションチャンネル生成要求を受け取ることであって、前記外部と共有されるコミュニケーションチャンネル生成要求は、第１グループＩＤ及び第２グループＩＤを含む、外部と共有されるコミュニケーションチャンネル生成要求を受け取ること、及び
前記クライアントデバイスが、前記第１グループＩＤ又は前記第２グループＩＤのうちの１つと関連付けられているという判断に応答して、前記グループベースコミュニケーションインタフェースの前記チャンネルリストペインにおいて、前記クライアントデバイスに関連付けられた１つ以上の内部で共有されるコミュニケーションチャンネルを含む内部で共有されるコミュニケーションチャンネルリスト、及び前記クライアントデバイスに関連付けられた１つ以上の外部と共有されるコミュニケーションチャンネルを含む外部と共有されるコミュニケーションチャンネルリストの表示を行うこと
を行うよう構成された実行可能な部分を備え、
前記１つ以上の内部で共有されるコミュニケーションチャンネルは、前記第１グループＩＤに関連付けられた第１ユーザ群にだけアクセス可能であり、
前記１つ以上の外部と共有されるコミュニケーションチャンネルのうちの少なくとも１つの外部と共有されるコミュニケーションチャンネルは、前記第１グループＩＤ又は前記第２グループＩＤに関連付けられた第２ユーザ群にアクセス可能であり、
前記１つ以上の内部で共有されるコミュニケーションチャンネルのそれぞれは、第１複数メッセージングコミュニケーションを通信するよう構成され、
前記１つ以上の外部と共有されるコミュニケーションチャンネルのそれぞれは、第２複数メッセージングコミュニケーションを通信するよう構成され、
前記チャンネルリストペインは、関連付けられたグループベースコミュニケーションチャンネルが外部と共有されていることを示す、前記１つ以上の外部と共有されるコミュニケーションチャンネルの個々に関連付けられた外部と共有されるコミュニケーションチャンネルステータス指示子をさらに含む
コンピュータプログラムプロダクト。
【請求項１８】
前記外部と共有されるコミュニケーションチャンネル生成要求は、前記第１グループＩＤに関連付けられた第１の外部と共有されるコミュニケーションチャンネル指示子、及び前記第２グループＩＤに関連付けられた第２の外部と共有されるコミュニケーションチャンネル指示子をさらに含み、
前記コンピュータ読み取り可能なプログラムコード部分の前記実行可能な部分は、
前記クライアントデバイスが前記第１グループＩＤに関連付けられているという判断に応答して、前記チャンネルリストペインにおいて、前記第１の外部と共有されるコミュニケーションチャンネル指示子を表示すること、及び
前記クライアントデバイスが前記第２グループＩＤと関連付けられているという判断に応答して、前記チャンネルリストペインにおいて、前記第２の外部と共有されるコミュニケーションチャンネル指示子を表示すること
を行うようさらに構成された、請求項１７に記載のコンピュータプログラムプロダクト。
【請求項１９】
前記グループベースコミュニケーションインタフェースは、１つ以上のユーザアイコンを備えるチャンネルユーザフレックスペインをさらに備える
請求項１７に記載のコンピュータプログラムプロダクト。
【請求項２０】
前記１つ以上のユーザアイコンのそれぞれは、対応するユーザアバター及び対応するグループアイコンを含む
請求項１９に記載のコンピュータプログラムプロダクト。
【請求項２１】
前記グループベースコミュニケーションインタフェースは、チャンネルメッセージングペイン及びチャンネル入力ボックスをさらに備え、
前記コンピュータ読み取り可能なプログラムコード部分の前記実行可能な部分は、
前記外部と共有されるコミュニケーションチャンネルリストから選択された外部と共有されるコミュニケーションチャンネルの電子的表示を前記クライアントデバイスから受け取ること、
前記チャンネルメッセージングペインにおいて、前記選択された外部と共有されるコミュニケーションチャンネルに関連付けられた１つ以上のユーザメッセージを表示すること、
前記選択された外部と共有されるコミュニケーションチャンネルに関連付けられたユーザ入力を、前記チャンネル入力ボックスにおいて前記クライアントデバイスから受け取ること、及び
前記チャンネルメッセージングペインにおいて前記ユーザ入力を表示すること
をさらにさせるよう構成された、請求項１７に記載のコンピュータプログラムプロダクト。
【請求項２２】
前記第１複数メッセージングコミュニケーションのそれぞれは、前記第１グループＩＤに関連付けられ、前記第２グループＩＤには関連付けられず、
前記第２複数メッセージングコミュニケーションのうちの少なくとも一部は、前記第１グループＩＤ及び前記第２グループＩＤに関連付けられる
請求項１７に記載のコンピュータプログラムプロダクト。
【請求項２３】
前記第１グループＩＤは、前記第２グループＩＤとは異なり、
前記第１グループＩＤに関連付けられた前記第１ユーザ群は、前記少なくとも１つの外部と共有されるコミュニケーションチャンネルにアクセスするための、前記第２グループＩＤに関連付けられた前記第２ユーザ群に関連付けられた第２プライバシー設定とは異なる第１プライバシー設定に関連付けられる
請求項１７に記載のコンピュータプログラムプロダクト。